(57)【要約】【課題】  記録媒体の空きが無くなる時期をユーザに知らせる。【解決手段】  使用履歴管理装置２２は、使用期間、ＨＤＤ２０へのデータ記録期間、ＨＤＤ２０の総記録データ量を、使用履歴情報として使用履歴メモリ２４に格納する。使用履歴管理装置２２は、装置の電源がオンになると、使用履歴メモリ２４から履歴情報を読み出し、直線回帰の予測式により、ＨＤＤ２０の残容量が一定値以下になる時期、即ち、ＨＤＤ２０から記録データを削除すべき削除時期を予測する。使用履歴管理装置２２は、予測された削除時期を警告表示画面生成装置２６に送る。警告表示画面生成装置２６は、使用履歴管理装置２２からの削除時期をユーザに通知する報知画面データを生成し、ＯＳＤ合成装置３２に出力する。【選択図】  図１
2008270993.tif 000002
【特許請求の範囲】
【請求項１】
記録媒体にデータを記録する記録装置であって、
前記記録媒体へのデータ記録に応じて、前記記録媒体の使用履歴を示す履歴情報を記憶するメモリと、
前記メモリに記憶される前記履歴情報に基づき、前記記録媒体の記録済みデータを削除すべきデータ削除時期を算出する削除時期算出手段と、
前記削除時期算出手段によって算出された前記データ削除時期をユーザに通知する通知手段
とを有することを特徴とする記録装置。
【請求項２】
更に、削除時期算出手段によって算出されたデータ削除時期に応じて、前記記録媒体に記録されたデータのバックアップを促すバックアップ催促手段を有することを特徴とする請求項１に記載の記録装置。
【請求項３】
前記履歴情報が、前記データ記録の日付、及び、前記記録媒体の残容量と総記録データ量の何れかを示す情報からなることを特徴とする請求項１又は２に記載の記録装置。
【請求項４】
更に、前記記録媒体へのデータ記録に応じてこのデータ記録に対する履歴情報を生成し、前記メモリに書き込む履歴情報生成手段を有することを特徴とする請求項１乃至３の何れか１項に記載の記録装置。
【請求項５】
記録媒体に映像データを記録する記録手段と、
前記記録媒体に対して映像データを記録した日付と前記日付毎の前記記録媒体の記録残容量とに係る履歴情報を生成する履歴情報生成手段と、
前記履歴情報に基づいて前記記録媒体の残容量が閾値に到達する時期を算出する演算手段
とを備えることを特徴とする記録装置。
【発明の詳細な説明】
【技術分野】
【０００１】
本発明は、記録装置に関する。
【背景技術】
【０００２】
従来、被写体の画像信号をメモリカード又は光ディスク等の記録媒体に動画記録するビデオカメラが知られている。
【０００３】
この種のビデオカメラでは、記録媒体の残容量から記録可能時間を算出し、液晶パネルなどの表示画面に表示する技術が知られている（例えば、特許文献１参照）。ユーザは、表示された記録可能時間により、記録媒体を交換する必要があるか否かを早期に判断できる。
【０００４】
また、近年では、記録媒体としてリムーバブルメディアではなく、大容量ハードディスク（ＨＤＤ）を内蔵し、このＨＤＤに画像データを記録するビデオカメラも登場している。
【特許文献１】特開２０００−２９９８００号公報
【発明の開示】
【発明が解決しようとする課題】
【０００５】
大容量ＨＤＤを用いたビデオカメラでは、他の記録媒体に比べて長時間の記録が可能である。そのため、記録可能時間を意識せずに撮影してしまいがちであるが、大容量ＨＤＤといえど、記録容量は有限である。いざ撮影しようと思ったときに、予期せずに空き容量が少なくなってしまっているということが起こり得る。
【０００６】
交換可能なＨＤＤを使用する場合には、ＨＤＤを交換すれば良いが、交換可能でない場合、記録を続けるには、記録済みの画像データのうち不要なものを削除しなければならない。そのため、ＨＤＤの残量が無い又は少ない場合、即座に撮影を開始することができない。
【０００７】
このような問題はまた、リムーバブルメディアに追加的に画像（及び音声）を記録する場合にも生じ得る。
【０００８】
本発明は、この様な問題を解決し、記録媒体の記録可能時間の目安を分かりやすくユーザに通知する記録装置を提示することを目的とする。
【課題を解決するための手段】
【０００９】
本発明に係る記録装置は、記録媒体にデータを記録する記録装置であって、前記記録媒体へのデータ記録に応じて、前記記録媒体の使用履歴を示す履歴情報を記憶するメモリと、前記メモリに記憶される前記履歴情報に基づき、前記記録媒体の記録済みデータを削除すべきデータ削除時期を算出する削除時期算出手段と、前記削除時期算出手段によって算出された前記データ削除時期をユーザに通知する通知手段とを有することを特徴とする。
【００１０】
本発明に係る記録装置は、記録媒体に映像データを記録する記録手段と、前記記録媒体に対して映像データを記録した日付と前記日付毎の前記記録媒体の記録残容量とに係る履歴情報を生成する履歴情報生成手段と、前記履歴情報に基づいて前記記録媒体の残容量が閾値に到達する時期を算出する演算手段とを備えることを特徴とする。
【発明の効果】
【００１１】
本発明によれば、記録媒体の記録済みデータを削除しなければ記録を続行できない又は記録続行が困難になる時期を事前に知ることができるので、余裕を持って撮影を行うことができる。また、データバックアップの期限を予想でき、余裕で対応できるようになる。
【発明を実施するための最良の形態】
【００１２】
以下、図面を参照して、本発明の実施例を詳細に説明する。
【００１３】
図１は、本発明の一実施例である画像記録装置の概略構成ブロック図を示す。カメラユニット１０は、被写体を撮影し、被写体の画像信号を画像圧縮装置１２に出力する。画像圧縮装置１２は、カメラユニット１０からの画像信号をＭＰＥＧ２等の動画圧縮方式に従って圧縮符号化する。
【００１４】
マイクユニット１４は外部の音声を取り込み、音声信号を音声圧縮装置１６に出力する。音声圧縮装置１６は、マイクユニット１４からの音声信号を所定方式で圧縮符号化する。
【００１５】
記録再生管理装置１８は、画像圧縮装置１２からの圧縮画像データ及び音声圧縮装置１６からの圧縮音声データを所定のファイル形式でハードディスク装置（ＨＤＤ）２０に記録する。
【００１６】
記録再生管理装置１８は、ＨＤＤ２０へのデータ記録だけでなく、記録データの再生と削除を行うことができ、ＨＤＤ２０の記録を管理する。
【００１７】
使用履歴管理装置２２は、記録再生管理装置１８によるＨＤＤ２０の記録と削除をモニタし、ＨＤＤ２０の使用履歴を使用履歴メモリ２４に格納する。使用履歴管理装置２２はまた、使用履歴メモリ２４に格納される使用履歴情報を参照して、直線回帰によりＨＤＤ２０から記録データを削除すべき時期、即ち、データ削除時期を予測する。警告表示画面生成装置２６は、使用履歴管理装置２２によるデータ削除時期をユーザに警告又は通報する文字又は画像からなる警告画面データを生成する。勿論、警告表示画面生成装置２６は、データ削除時期まで余裕があるときには、上記警告画面データを出力せず、データ削除時期まで一定時間内になったときに上記警告画面データを出力しても良い。時計２８は現在時刻を計時しており、使用履歴管理装置２２は、時計２８を参照して、各時刻の履歴情報を生成する。
【００１８】
記録再生管理装置１８は、任意の画像音声データをＨＤＤ２０から再生できる。記録再生管理装置１８は、ＨＤＤ２０から読み出した画像音声データの圧縮画像データを画像伸長装置３０に供給し、圧縮音声データを音声伸長装置３６に供給する。画像伸長装置３０は、記録再生管理装置１８からの圧縮画像データを伸長し、再生画像信号をOSD（On-Screen-Display）装置３２に供給する。ＯＳＤ合成装置３２は画像伸長装置３０からの再生画像信号に任意の文字画像情報、ここでは警告表示画面生成装置２６からの警告画面データを重畳する。液晶表示装置（ＬＣＤ）３４は、ＯＳＤ合成装置３２からの画像信号を動画像表示する。また、スピーカユニット３８は、音声伸長装置３６からの再生音声信号を音出力する。
【００１９】
ユーザは操作装置４０によりシステム制御装置４２に種々の動作を指示できる。システム制御装置４２は、動作状態及び操作装置４０からの指示に従い、上述の各部を制御する。
【００２０】
ＨＤＤ２０にはＵＳＢインターフェース４４が接続し、ＵＳＢインターフェース４４には更にＵＳＢコネクタ４６が接続する。ＵＳＢコネクタ４６にパーソナルコンピュータ（ＰＣ）を接続することで、ＨＤＤ２０の記録データを外部に取り出すことができる。
【００２１】
使用履歴管理装置２２の動作を説明する。使用履歴管理装置２２は、電源がオンの間、ユーザの使用状況を監視し、電源がオフになるときに、使用時間（電源オン時刻から電源オフ時刻までの時間）を算出する。使用履歴管理装置２２はまた、撮影（記録）毎に、記録開始から記録終了までの時間、即ち記録時間を算出し、ＨＤＤ２０の総記録データ量を記録再生管理装置１８に問い合わせて確認する。
【００２２】
使用履歴管理装置２２は、こうして得られた利用日（撮影日）毎の使用時間、記録時間、及びＨＤＤ２０の総記録データ量を、ＨＤＤ２０の使用履歴を示す履歴情報として使用履歴メモリ２４に格納する。即ち、使用履歴管理装置２２は、特許請求の範囲の履歴情報生成手段として機能する。図２は、使用履歴メモリ２４に格納される履歴情報の一例を示す。
【００２３】
例えば、ＨＤＤ２０に画像音声データを記録する度に、ＨＤＤ２０の総記録データ量が増加していく。勿論、ＨＤＤ２０の記録画像を削除することで、総記録データ量は減少する。
【００２４】
使用履歴管理装置２２はまた、使用履歴メモリ２４から履歴情報からＨＤＤ２０の記録済みデータを削除すべきデータ削除時期、例えば、残量が無くなる時期、又は一定値以下になる時期を算出する削除時期算出手段として機能する。具体的には、使用履歴管理装置２２は、装置の電源がオンになると、使用履歴メモリ２４から履歴情報を読み出し、以下に示す直線回帰による予測式に当てはめる。
【数１】
2008270993.tif 000003
この式において、変数ＸとＹには、それぞれ使用日と総容量の組を代入し、近似直線の傾きａ及び切片ｂを算出する。求められた近似直線から、総記録データ量が規定の閾値になる日時を予測する。図３は、予測のグラフを示す。横軸は、日付を示し、縦軸は、総記録データ量を示す。
【００２５】
使用履歴管理装置２２は、予測式により算出されたデータ削除時期の日時を示す信号を警告表示画面生成装置２６に送る。警告表示画面生成装置２６は、使用履歴管理装置２２からの日時をユーザに警告又は報知する警告画面データを生成し、ＯＳＤ合成装置３２に出力する。
【００２６】
ＯＳＤ合成装置３２は、先に説明したように、警告表示画面生成装置２６からの警告画面データを記録再生管理装置１８からの画像信号に合成する。勿論、記録再生管理装置１８が何れの画像も再生していないとき、ＯＳＤ合成装置３２は、既定の背景画面（例えば、ブルーバック画面）に警告表示画面生成装置２６からの警告画面データを合成し、合成画像をＬＣＤ３４に供給する。ＬＣＤ３４は、警告画面が合成された画像信号の画像を表示する。
【００２７】
警告表示画面生成装置２６、ＯＳＤ合成装置３２及びＬＣＤ３４が、特許請求の範囲に規定される、データ削除時期をユーザに通知する通知手段として機能する。
【００２８】
また、ＨＤＤ２０の残容量が一定値以下になったら、又は、使用履歴管理装置２２により算出されるデータ削除時期まで一定の日時になったら、システム制御装置４２は、バックアップをユーザに促す画面を警告表示画面生成装置２６に生成させる。このとき、システム制御装置４２、警告表示画面生成装置２６、ＯＳＤ合成装置３２及びＬＣＤ３４が、特許請求の範囲に規定されるバックアップ催促手段として機能する。
【００２９】
本実施例では、使用履歴管理装置２２による予測日時を電源オンのときにユーザに表示するようにしたが、電源オフ時に一定時間、予測日時を表示するようにしてもよい。
【００３０】
また、本実施例では、ＨＤＤ２０に記録された総データ量を履歴情報として使用履歴メモリ２４に記憶したが、ＨＤＤ２０の空き容量を履歴情報として使用履歴メモリ２４に記憶してもよいことは明らかである。
【００３１】
動画撮影のビデオカメラに対する実施例を説明したが、静止画撮影のスチルカメラにも、本発明を適用できることは明らかである。即ち、記録媒体の空きが無くなる又は一定量以下になる日時を同様の処理で予測し、電源オン時、電源オフ時又は動作中に、電子ファインダ等に使用される画面上に表示する。
【図面の簡単な説明】
【００３２】
【図１】本発明の一実施例の概略構成ブロック図である。
【図２】使用履歴情報の一例である。
【図３】使用状況の予測例を示すグラフである。
【符号の説明】
【００３３】
１０：カメラユニット
１２：画像圧縮装置
３０：画像伸長装置
３４：ＬＣＤ
１４：マイクユニット
１６：音声圧縮装置
３６：音声伸長装置
３８：スピーカユニット
２０：ＨＤＤ
１８：記録再生管理装置
２２：使用履歴管理装置
２４：使用履歴メモリ
２８：時計
２６：警告表示画面生成装置
３２：オンスクリーン合成装置
４４：ＵＳＢインターフェース
４６：ＵＳＢコネクタ
４２…システム制御装置
４０…操作ユニット
【図１】
2008270993.tif 000004
【図２】
2008270993.tif 000005
【図３】
2008270993.tif 000006